(57)【要約】【課題】両軸受けリールによる釣り開始時、ドラグフリー状態のスプールから釣り糸が繰りだされるとき、風や潮の流れによって釣り糸が弛みスプールの前側で絡まる虞があり、それを防止するために釣り糸の引き出し具合を細かに調整する必要である。このために、ハンドルの反対側のリール本体側面から左手によって操作可能なブレーキ装置が設けられたものがあるが、押しボタン、筒体、スライド軸、コイルバネ、耐摩耗性のブレーキシュー等の特別な部品が必要であり、更に、ブレーキシューが挿入される円形状の溝をスプールの側面に形成する等の特別な加工が必要となり、組み立て工数も多くコストアップとなる。本発明は、両軸受けリールに備えたドラグ機構を有効利用するブレーキ装置を提供する。【解決手段】ドラグ機構を備えた魚釣り用リールにおいて、リール本体の側方からスプール軸を押圧操作可能とする押圧部材を設け、押圧部材の押圧によりドラグ機構の第１摩擦板を第２摩擦板に当接させるブレーキ装置とする。【選択図】図３
2018113900.tif 000002
【特許請求の範囲】
【請求項１】
リール本体に支持されたスプール軸と、前記スプール軸に回転可能に支持され釣り糸を巻き取るスプールと、更に、前記スプールと共に回転する第１摩擦板と、前記第１摩擦板に対峙する第２摩擦板と、前記第２摩擦板に対して前記第１摩擦板が離間状態となるように付勢する付勢部材とを有し、前記スプールの回転にドラグ力を付与するドラグ機構を備え、
前記リール本体の側方から前記スプール軸を押圧操作可能とする押圧部材を有し、前記付勢部材の付勢力に抗した前記押圧部材の押圧にて前記第１摩擦板が前記第２摩擦板に当接するブレーキ装置を備える、
ことを特徴とする魚釣り用リール。
【請求項２】
前記押圧部材は、前記スプール軸の端部と結合部で結合され、前記結合部よりも大径の押圧頭部を備え、前記リール本体の側面には前記結合部が貫通し前記押圧頭部が収容される凹部を有し、前記押圧部材の押圧操作前は前記付勢部材の付勢力にて前記押圧頭部が前記凹部の底部から所定間隔で離間した状態を保持し、前記所定間隔は、前記スプール軸の軸線方向への移動距離を制御する前記ドラグ機構のカム機構により設定される前記スプール軸の軸方向移動距離を確保する間隔である、
ことを特徴とする請求項１に記載の魚釣り用リール。
【請求項３】
前記押圧部材の押圧頭部は、前記結合軸部を有する円形状主体部と、前記円形状主体部から斜め前上方へ延びる補助部とを有する、
ことを特徴とする請求項１または２に記載の魚釣り用リール。
【発明の詳細な説明】
【技術分野】
【０００１】
本発明は、魚釣り用リールに関し、特に、釣り糸繰り出し時のリールのオーバーランを抑制するブレーキ装置を備えた魚釣り用リールに関する。
【背景技術】
【０００２】
魚釣り用リールには、スピニングリールや両軸受けリールがあり、特に両軸受けリールは、ジギング釣りやトローリング釣り等の大物釣りに適するように設計され、スプールへの釣り糸巻き取り用ハンドルを支持するハンドル軸がスプール軸と平行に配置され、スプール軸と同軸上にドラグ機構の摩擦係合部及びドラグ機構の調整用レバーを配置したレバードラグ式両軸受けリールは公知である（例えば、特許文献１）。
【０００３】
前記両軸受けリールを釣り竿に取り付けた状態で魚釣りを行う場合、釣り竿を振って仕掛けを投げる方法と、仕掛けを投げずに仕掛けの錘を利用して釣り竿から仕掛けを真下に落として釣る方法がある。
前者の方法の場合、仕掛けを投げることによってドラグフリー状態のスプールが高速回転して釣り糸が繰り出されるが、風の影響等によって仕掛けが飛ぶスピードが低下したとき、スプールの回転がそれに伴って低下せずオーバーラン状態（空回り状態）となり、釣り糸が連続して繰り出されることにより、余分に繰り出された釣り糸がスプールの前方部分に絡まり、鳥の巣のように纏わりつく状態となることがある。
また後者の方法の場合は、潮の流れの影響によって釣り糸がドラグフリー状態のスプールから繰り出されるスピードが変化する。速いスピードで繰り出されていた状態から遅いスピードになったとき、スプールの回転がそれに伴って低下せずオーバーラン状態（空回り状態）となり、釣り糸が連続して繰り出されることにより、余分に繰り出された釣り糸がスプールの前方部分に絡まり、鳥の巣のように纏わりつく状態となることがある。
【０００４】
このように、釣り開始時ドラグフリー状態のスプールから釣り糸が繰りだされるとき、釣り糸の弛み抑制の細かな操作を行うことが必要である。この抑制操作として、サミングと呼ばれる方法がある。これは、リールを掴んだ左手の親指によってスプールの上から繰り出される釣り糸を抑える度合いを調整する方法であるが、勢いよく繰り出される釣り糸を抑えるため、釣り糸によって指が傷つく虞があり、好ましくない。
【０００５】
このため、スプールのオーバーラン状態（空回り状態）を機械的に抑制する装置として、両軸受けリールには、ハンドルの反対側のリール本体側面から左手によって操作可能なブレーキ装置が設けられたものがある（特許文献１参照）。
【先行技術文献】
【特許文献】
【０００６】
【特許文献１】特開平１１−１９６７３１号公報
【発明の概要】
【発明が解決しようとする課題】
【０００７】
特許文献１のものは、ハンドルの反対側のリール本体側面から操作可能な押しボタンが、リール本体の側面から突出状態に配置され、この押しボタンをバネ力に抗して押すことにより、ブレーキロッドが進出して先端のブレーキパッドがスプールの側面を押圧し、スプールの回転にブレーキが掛かる仕組みである。
【０００８】
このブレーキ装置は、スプールの側面を押圧するため、押圧力がスプールに偏りを生じさせる作用となり好ましいものではない。
また、このブレーキ装置は、押しボタン、筒体、スライド軸、コイルバネ、耐摩耗性のブレーキシュー等の特別な部品が必要であり、更に、ブレーキシューが挿入される円形状の溝をスプールの側面に形成する等の特別な加工が必要となり、組み立て工数も多くなり、コストアップとなる。  
【０００９】
本発明は、このような点に鑑み、押圧力がスプールに偏りを生じさせることなく、且つ、簡単な部品の追加によって、釣りを始めるときにスプールから釣り糸を繰りだすときの釣り糸の弛み抑制の細かな操作を行うことに適するブレーキ装置を備えた魚釣り用リールを提供するものである。
このため、本発明は、両軸受けリールに備えたドラグ機構を利用するブレーキ装置を提供することに特徴がある。
【課題を解決するための手段】
【００１０】
第１発明の魚釣り用リールは、リール本体に支持されたスプール軸と、前記スプール軸に回転可能に支持され釣り糸を巻き取るスプールと、更に、前記スプールと共に回転する第１摩擦板１３Ａと、前記第１摩擦板１３Ａに対峙する第２摩擦板１３Ｂと、前記第２摩擦板１３Ｂに対して前記第１摩擦板１３Ａが離間状態となるように付勢する付勢部材とを有し、前記スプールの回転にドラグ力を付与するドラグ機構を備え、
前記リール本体の側方から前記スプール軸を押圧操作可能とする押圧部材を有し、前記付勢部材の付勢力に抗した前記押圧部材の押圧にて前記第１摩擦板１３Ａが前記第２摩擦板に当接するブレーキ装置を備える、
ことを特徴とする。
【００１１】
第２発明は、第１発明において、
前記押圧部材は、前記スプール軸の端部と結合部で結合され、前記結合部よりも大径の押圧頭部を備え、前記リール本体の側面には前記結合部が貫通し前記押圧頭部が収容される凹部を有し、前記押圧部材の押圧操作前は前記付勢部材の付勢力にて前記押圧頭部が前記凹部の底部から所定間隔で離間した状態を保持し、前記所定間隔は、前記スプール軸の軸線方向への移動距離を制御する前記ドラグ機構のカム機構により設定される前記スプール軸の軸方向移動距離を確保する間隔である、
ことを特徴とする。
【００１２】
第３発明は、第１発明または第２発明において、
前記押圧部材の押圧頭部は、前記結合軸部を有する円形状主体部と、前記円形状主体部から斜め前上方へ延びる補助部とを有する、
ことを特徴とする。
【発明の効果】
【００１３】
本発明のブレーキ装置は、ハンドルの反対側でリール本体の側面にスプール軸を押圧可能に配置された押圧部材を備え、ドラグ機構の第２摩擦板に対して第１摩擦板が離間状態となるように付勢する付勢部材の付勢力に抗して、第１摩擦板１３Ａを第２摩擦板に当接させることによって、釣り糸繰り出し時のスプール回転に所定のブレーキが掛かる仕組みである。
これによって、ドラグ機構の付勢部材に抗した押圧操作によって、スプールに適宜にブレーキを掛けるため、スプールの側面を押圧してブレーキをかける従来方式では、押圧力がスプールに偏りを生じさせる作用となるが、本発明では、スプール軸を押圧するため、スプールにこのような偏りの作用力が生じる虞がなく、安定したブレーキ作用を与えることができる。
【００１４】
また、本発明のブレーキ装置では、従来のブレーキ装置として必要であった押しボタン、筒体、スライド軸、コイルバネ、耐摩耗性のブレーキシュー等の特別な部品も不要となり、更に、ブレーキシューが挿入される円形状の溝をスプールの側面に形成する等の特別な加工も不要となり、スプールに安定したブレーキをかけることができる。
【００１５】
第２発明では、押圧頭部が凹部に収容される状態であるため、リールの側面からの押圧頭部の突出が抑えられることにより、リールを握る手が押圧頭部に触れても違和感が軽減される。
また、釣り糸が押圧部材や、押圧部材とスプール軸と結合部に絡まる虞がなく、安定した釣り操作及びブレーキ操作が達成できる。
【００１６】
第３発明では、押圧頭部に円形状主体部から斜め前上方へ延びる補助部を有する。釣り操作時にハンドルの反対側のリール本体の側面に覆い被せる左手の親指と人差しの間の空間に、この補助部が位置するため、釣り操作時に補助部が邪魔にならず、しかもスプールにブレーキを掛けるときには、この主体部と共に補助部を押せば、主体部を無闇に大きくしなくてもブレーキを掛け易くなり、安定してブレーキを掛けることができる。
【図面の簡単な説明】
【００１７】
【図１】本発明に係るレバードラグ式リールの左側を握った状態の説明図である。
【図２】本発明の実施形態に係るレバードラグ式リールを上面から見た平面図である。
【図３】本発明に係るレバードラグ式リールの内部構造を示す要部断面図である。
【図４】本発明に係るレバードラグ式リールのブレーキ装置が作動する前の状態を示す断面図である。
【図５】本発明に係るレバードラグ式リールのブレーキ装置が作動した状態を示す断面図である。
【図６】本発明に係る第１カムの図であり、（イ）は第１カムの側面図、（ロ）は第１カムのカム面の平面図、（ハ）は第１カムのカム面の展開図である。
【図７】本発明に係る第２カムの図であり、（イ）は第２カムのカム面の平面図、（ロ）は（イ）のＢ−Ｂ断面図である。
【図８】本発明に係るブレーキ装置の押圧部材の一つの実施形態を示す第１側板カバー側の左側面図である。
【図９】本発明に係るブレーキ装置の押圧部材の他の実施形態を示す第１側板カバー側の左側面図である。
【発明を実施するための形態】
【００１８】
本発明は、リール本体に支持されたスプール軸と、前記スプール軸に回転可能に支持され釣り糸を巻き取るスプールと、前記スプールの回転にドラグ力を調整するドラグ機構と、前記ドラグ機構を介して前記スプールを回転させるハンドルと、前記ドラグ機構のドラグ力を調整するドラグレバーとを備え、
前記ドラグ機構は、前記スプールと共に回転する第１摩擦板１３Ａと、前記第１摩擦板１３Ａと対峙する第２摩擦板１３Ｂと、前記第２摩擦板１３Ｂに対して前記第１摩擦板１３Ａが離間状態となるように付勢する付勢部材とを有し、
前記ハンドルの反対側で前記リール本体の側方から前記スプール軸を押圧操作可能に配置された押圧部材を有し、前記付勢部材の付勢力に抗した前記押圧部材の押圧にて、前記第１摩擦板１３Ａが前記第２摩擦板に当接する構成であるブレーキ装置を備える魚釣り用リールであり、以下にその実施例を記載する。
【実施例１】
【００１９】
本発明に係る以下に記載する実施例は、両軸受けリール１の一つの形態であるレバードラグ式リール１について記載する。レバードラグ式リール１は、図２に示すように、その下側部に設けた金属製の取付け脚２を釣竿６０の上側部に形成した取付け部に装着して取り付けられ、その取り付け状態において、多くの使用状態として採用される右側ハンドル操作の場合について説明する。
【００２０】
本発明に係るレバードラグ式リール１は、図１に示すように、釣竿６０の竿先に向かって右側に、釣糸６２をスプール１５に巻き取り操作するハンドル１２及びドラグ機構１３のドラグ力を調整するドラグレバー１４が配置され、操作者のハンドル側の手（右手）でハンドル１２を操作し、レバードラグ式リール１の反ハンドル側となる左側面に沿わせた操作者の反ハンドル側の手（左手ＬＨ）によって、釣竿６０を下方から支えると共に左手ＬＨの親指ＬＨ１によって、ドラグレバー１４を操作可能とする小型のレバードラグ式リール１を構成している。
【００２１】
このレバードラグ式リール１は、ジグと称される錘式のルアーを使用し、釣り竿から釣糸６２を略真下へ向けて例えば海中５０ｍ乃至それ以上の深さまで垂らして比較的大きな魚を狙うジギング釣りとして好適なものである。
【００２２】
以下、本発明に係るレバードラグ式リール１の構成について更に詳細に記載する。以下の説明において、レバードラグ式リール１の取付け脚２を釣竿６０の上側部に形成した取付け部６１に装着した状態において、レバードラグ式リール１を後方から釣竿６０の竿先に向かって見た状態で、右側及び左側と呼称して説明することとする。
【００２３】
本発明に係るレバードラグ式リール１は、リール本体１１と、リール本体１１に支持されたスプール軸１６に回転自在に支持されたスプール１５と、スプール１５の釣り糸繰り出し方向回転のドラグ力を調整するドラグ機構１３と、ドラグ機構１３を介してスプール１５を回転駆動する歯車装置ＧＡと、歯車装置ＧＡを回転駆動するハンドル軸を回転させるためのハンドル１２と、ドラグ機構１３のドラグ力を調整するドラグレバー１４を備えている。また、ドラグ機構１３は、ドラグ力の強弱調整範囲をプリセットするドラグ調整装置５０を備えている。
【００２４】
金属製のリール本体１１は、円形状のスプール１５の左側面を覆う側面視円形状の左側の第１側板１１Ａと、円形状のスプール１５の右側面を覆う側面視円形状の右側の第２側板１１Ｂが、複数の連結部１１Ｃにて連結された状態で対向配置された構成を主体部とし、これに第１側板１１Ａの外側を覆うように第１側板１１Ａにネジ１１Ｈで固定された側面視円形状の金属製の第１側板カバー１１Ｄと、第２側板１１Ｂの外側を覆うように第２側板１１Ｂにネジ１１Ｇで固定された金属製の第２側板カバー１１Ｅを備えて構成である。ネジ１１Ｈは、操作者の左手ＬＨの手のひらが接触しないように、第１側板カバー１１Ｄの外表面から突出しないように窪みに配置されている。
【００２５】
第１側板カバー１１Ｄの左側面は、操作者の左手ＬＨの手のひらが沿い易いように、周縁部から中央部に向けて左外方へ大きな曲率で突出した曲面１１Ｄ１をなし、略球面状に膨らんだ丸み形状を呈している。第２側板カバー１１Ｅは、円形状のスプール１５の右側面を覆う側面視円形状部分と、金属製のハンドル取り付け部１２Ｔに連結された金属製のメインギア２２を収容する部分とを一体形成した金属製の第２側板内カバー１１Ｅ１と、ハンドル取り付け部１２Ｔを収容する金属製の第２側板外カバー１１Ｅ２とで構成している。第２側板内カバー１１Ｅ１がネジ１１Ｇで第２側板１１Ｂに固定されており、第２側板内カバー１１Ｅ１と第２側板外カバー１１Ｅ２は、ハンドル取り付け部１２Ｔがメインギア２２と連結される部分で連通する状態にネジ１１Ｊで結合されている。なお、第２側板内カバー１１Ｅ１内のメインギア２２を覆うために、ギアカバー１１Ｅ３を備えており、ギアカバー１１Ｅ３は、外側端が第２側板内カバー１１Ｅ１に連接し内側端がネジ１１Ｋで第２側板１１Ｂに取り付けられた構成である。
【００２６】
リール本体１１には、スプール軸１６の左右両側部が、第１側板１１Ａの一部である第１側板カバー１１Ｄに設けた軸支持部１１Ｄ２と、第２側板１１Ｂの一部である第２側板カバー１１Ｅに設けた軸支持部１１Ｄ３に支持されており、それによって、リール本体１１に対して金属製のスプール軸１６が、回転不能且つスプール軸１６の軸方向へ移動可能（左右移動可能）である。実施例では、第２側板カバー１１Ｅの外面部（具体的には第２側板内カバー１１Ｅ１の外面部）に、スプール軸１６と同軸に膨出形成した膨出部１１Ｅ１Ｂが形成されており、膨出部１１Ｅ１Ｂを貫通してスプール軸１６が、その軸方向に移動可能且つ回転不能に延出するように、膨出部１１Ｅ１Ｂに軸支持部１１Ｄ３が形成されている。軸支持部１１Ｄ２の一部には、スプール軸１６から突出した回り止めピン１６Ｐが嵌まり込む溝１１Ｄ２１が形成されており、回り止めピン１６Ｐが溝１１Ｄ２１に嵌まり込んだ状態で、スプール軸１６が回転不能且つ軸方向へ移動可能（左右移動可能）である。
【００２７】
釣り糸６２を巻き取る金属製のスプール１５は、釣り糸６２を巻き取る円筒状の小径の糸巻き胴部１５Ａと、糸巻き胴部１５Ａの左右両側に設けた円形状の大径のフランジ部１５Ｂ、１５Ｃを一体形成している。スプール１５は、左右両側部が軸受け１７Ａ、１７Ｂを介してスプール軸１６対して遊転可能に支持されている。この状態で、左側のフランジ部１５Ｂは、リール本体１１の第１側板１１Ａの内側に入り込んだ状態で配置され、右側のフランジ部１５Ｃは、リール本体１１の第２側板１１Ｂの内側に入り込んだ状態で配置される。
【００２８】
軸受け１７Ａは、スプール１５の左側の第１凹部に装着されており、スプール軸１６に取付けたワッシャ１６Ｗと軸受け１７Ａとに付勢力が働く４枚の皿バネからなる第１付勢部材２７によって、図３で右方向となる内方へ付勢され、スプール１５の第１凹部に押し圧されている。軸受け１７Ｂは、スプール１５の右側の第２凹部に装着されており、後述の軸受け２５との間のスプール軸１６の周囲に配置したコイルバネからなる第２付勢部材２８によって、スプール軸１６の内方（図３で左方）に付勢されている。この第２付勢部材２８によって、ドラグフリー状態において、第２摩擦板１３Ｂから第１摩擦板１３Ａが離間するように、スプール１５をスプール軸１６の内方（図３で左方）に付勢する。
【００２９】
スプール１５は、リール本体１１に回転自在に取り付けたハンドル１２の回転操作によって、釣り糸６２がスプール１５に巻き取られる。スプール１５は、２号撚り糸（ＰＥラインと称する）の釣糸６２を略６００ｍの長さまで安定に巻回できるように、糸巻き胴部１５Ａ及び左右両側のフランジ部１５Ｂ、１５Ｃが形成されている。
【００３０】
ハンドル１２は、板状の金属製のハンドルアーム１２Ｂと、ハンドルノブとして若干の弾力を有するゴムや合成樹脂などで形成した握り部１２Ｄを備えており、ハンドル取り付け部１２Ｔにてリール本体１１に回転自在に取付けられている。具体的には、ハンドル取り付け部１２Ｔは、第２側板カバー１１Ｅ内（図示では第２側板外カバー１１Ｅ２内）に設けた軸受け１８Ａ、１８Ｂによって、スプール軸１６の軸線１６Ｓに平行な軸線１２ＡＳでもって金属製のハンドル軸１２Ａが回転自在に支持され、第２側板カバー１１Ｅを貫通したハンドル軸１２Ａの外側端部（図示では右側端部）に、ネジ１９によってハンドルアーム１２Ｂの基部が固定され、ハンドルアーム１２Ｂの先端部に握り部１２Ｄをハンドルノブ支持軸部１２Ｅによって回転自在に支持している。ハンドルノブ支持軸部１２Ｅは、ハンドルアーム１２Ｂに略直角に交差するように、ハンドルアーム１２Ｂの先端部に固定したハンドルノブ軸１２Ｃに、軸受け２０Ａ、２０Ｂを介して握り部１２Ｄと一体の筒部１２Ｄ１が回転自在に支持された構成である。これによって、握り部１２Ｄを操作者の右手によって握持した状態で、スプール１５へ釣り糸６２の巻き取りを行なう場合、ハンドル軸１２Ａを中心として握り部１２Ｄを釣り糸巻き取り方向（レバードラグ式リール１の右側面視で時計方向）に回転させることに伴って、ハンドルノブ軸１２Ｃを中心として握り部１２Ｄが回転するため、スプール１５へ釣り糸６２の巻き取りを連続して行なうことができる。
【００３１】
図２及び図３に示すように、ハンドルノブ（握り部）１２Ｄは、両端間の中間部がハンドルノブ支持軸部１２Ｅの先端にハンドルノブ支持軸部１２Ｅと交差状態を保ちつつ回転自在に結合された棒状体を構成し、ハンドルノブ支持軸部１２Ｅは、ハンドルノブ（握り部）１２Ｄを握持する右手の親指と人差し指にて挟み持つことが可能な大きさと長さを備え、ハンドルノブ支持軸部１２Ｅのハンドルアーム１２Ｂに近接する部分の外周に、釣り糸巻き取り回転中常時ハンドルアーム１２Ｂの先端１２Ｂ１の弧状部よりも外方へ張り出す大きさに拡大する環状の指移動阻止部１２Ｈを形成している。
【００３２】
ハンドル１２は、スプール１５へ釣り糸６２を巻き取る方向（図１に矢印Ｙで示す正方向回転という）へは回転できるがその逆方向回転はできないようにするために、第２側板カバー１１Ｅ内（具体的には第２側板外カバー１１Ｅ２内）において、軸受け１８Ａ、１８Ｂ間にワンウェイクラッチ２１が設けられている。ワンウェイクラッチ２１は周知の構成であり、第２側板カバー１１Ｅ側のアウターハウジングと、ハンドル軸１２Ａ側のインナーハウジングとの間に介在したローラの作用によって、ハンドル軸１２Ａが前記正回転方向のみ許容される周知の仕組みである。このため、ハンドル１２の正方向回転によってハンドル軸１２Ａが正方向回転し、後述のドラグ機構１３を介してスプール１５が釣り糸６２を巻き取る方向へ回転する。一方、釣り糸６２の繰り出しによってスプール１５が繰り出し方向回転（釣り糸６２を巻き取る方向とは逆方向の回転）する場合、その回転が後述のドラグ機構１３及びメインギア２２等を介してハンドル軸１２Ａへ伝達されるが、ワンウェイクラッチ２１の作用によってハンドル軸１２Ａは回転せず、従ってハンドル１２も逆方向回転（釣り糸６２を巻き取る方向Ｙ方向とは逆方向の回転）しないように動作する。
【００３３】
ハンドル１２の正方向回転をスプール１５へ伝達するために、ハンドル軸１２Ａの左端部に固定したメインギア２２に噛み合うように金属製のピニオンギア２３を備えている。軸受け２４は、周知のボールベアリング型式の軸受けであり、その外輪が第２側板カバー１１Ｅ内の凹部に装着され内輪がピニオンギア２３の外周の外側端部に装着されており、それによって、ピニオンギア２３が第２側板カバー１１Ｅ内に回転自在に支持され、ピニオンギア２３は、スプール軸１６に対しては回転自在且つスプール軸１６が軸方向移動自在なるように装着されている。この状態で、スプール軸１６の軸方向移動は許容するが、メインギア２２の回転に伴ってピニオンギア２３が回転する関係である。また、ピニオンギア２３の内側端部には、後述のドラグ機構１３の第２摩擦板１３Ｂと一体の取付け板１３Ｂ１の内周部分が嵌合し、ピニオンギア２３と第２摩擦板１３Ｂが一体化されている。
【００３４】
ドラグ機構１３は、仕掛けに魚が仕掛けに掛った状態で、回転しないスプール軸１６に回転自在に装着されたスプール１５に釣り糸６２を巻き取る場合、巻き取り操作するハンドルの回転をスプール１５に伝達するための回転伝達力の強弱を調整すると共に、魚の引きによってスプール１５の釣り糸繰り出し方向回転が生じる場合、この回転に制動力を加え、この制動力を調整し、また変更するためのものである。
【００３５】
このためドラグ機構１３は、ドラグ力の強弱を揺動動作にて調整する金属製のドラグレバー１４と、スプール１５と共に回転するようにスプール１５の一側面であるハンドル側（図示では竿先方向に向かって右側）の円形状のフランジ部１５Ｃの側面に固定した円板状の第１摩擦板１３Ａ（可動側ブレーキ板に相当）と、第１摩擦板１３Ａに当接可能に対峙しハンドル１２の回転に伴って回転する円板状の第２摩擦板１３Ｂ（固定側ブレーキ板に相当）と、スプール軸１６に対してスプール１５をスプール軸１６の軸方向（ハンドル側となる図示では右側）に向けて付勢する４枚の皿バネからなる第１付勢部材２７と、ドラグフリー状態で第２摩擦板１３Ｂから第１摩擦板１３Ａが離間するようにスプール１５をスプール軸１６の軸方向（反ハンドル側となる図示では左側）に付勢するコイルバネからなる第２付勢部材２８と、ドラグレバー１４の揺動動作にてスプール軸１６の軸方向移動を制御するカム機構３０と、ドラグレバー１４の揺動によるドラグ力の強弱調整範囲を予め所定の範囲に設定する（プリセットという）ドラグ調整装置５０とを備えている。これによって、ドラグレバー１４の揺動動作にて第１摩擦板１３Ａと第２摩擦板１３Ｂとの摩擦係合力（ドラグ力）の強弱が調整され、スプール１５の釣り糸繰り出し方向回転に加える制動力が調整される。
【００３６】
なお、第１付勢部材２７の付勢力（バネ力）は、第２付勢部材２８の付勢力（バネ力）よりも大きく設定されている。また、第１付勢部材２７と第２付勢部材２８によって、スプール１５の自由回転時のガタツキを防止している。
【００３７】
第２摩擦板１３Ｂは、スプール軸１６に対して、ピニオンギア２３の回転に伴って回転するが、スプール軸１６が軸方向へ移動しても移動しないように移動不能且つ回転可能である。このため、第２摩擦板１３Ｂは、軸受け２５を介してスプール軸１６に遊転可能に支持され且つスプール軸１６の移動自在に支持される。この軸受け２５は、周知のボールベアリング型式であり、その外輪が第２摩擦板１３Ｂの凹部に装着され、内輪がスプール軸１６に遊嵌されている。これによってスプール軸１６に対して、ピニオンギア２３と共に第２摩擦板１３Ｂが回転自在であり、且つスプール軸１６はその軸方向移動自在である。
【００３８】
第２側板カバー１１Ｅの外面部（具体的には第２側板内カバー１１Ｅ１の外面部）に、スプール軸１６と同軸に膨出形成した膨出部１１Ｅ１Ｂは、スプール軸１６のピニオンギア２３よりもハンドル１２側へ延出する部分を取り囲んで二段階に膨出形成されており、その二段階の二段目を貫通してスプール軸１６がその軸方向に移動可能に延出するように、軸受け部１１Ｄ３で支持されている。
【００３９】
ドラグレバー１４は、第２側板カバー１１Ｅの外面部（具体的には第２側板内カバー１１Ｅ１の外面部）の膨出部１１Ｅ１Ｂに揺動自在（回動自在ともいう）に支持されている。具体的には、ドラグレバー１４の基部に形成した円筒状の支持部１４Ａが、膨出部１１Ｅ１Ｂの一段目の円筒状外面に揺動自在（回動自在ともいう）に組み合わされ、支持部１４Ａの内周の一部に形成した環状の係止部１４Ｂが、膨出部１１Ｅ１Ｂの二段目の外周面に取り付けたＣ形リングまたはＥ形リングの抜け止め部材１４１によって抜け止め保持されている。この状態でドラグレバー１４は、第２側板内カバー１１Ｅ１に対してスプール軸１６を中心として揺動自在（回動自在ともいう）に保持される。なお、ドラグレバー１４の揺動（回動ともいう）範囲は、略１３０度である。
【００４０】
図６及び図７に示すように、カム機構３０は、ドラグレバー１４側の第１カム３１と、第１カム３１に噛み合うリール本体１１側の第２カム３２とで構成される。第１カム３１は、環状の係止部１４１の外側面に沿って配置され、筒状の膨出部１１Ｅ１Ｂを取り囲むように円筒状の支持部１４Ａの内側に回り止め状態に取り付けた傾斜カムである。第１カム３１は傾斜カムと称するように、ハンドル１２側へ向けて徐々に高く傾斜した円弧状のカム面３１Ａを形成している。製作のし易さ、取り付けのし易さ、ドラグ動作の安定化のために、第１カム３１は図６（ロ）に示すように円形状リングをなし、カム面３１Ａは、スプール１５の軸線１６Ｓを中心とした半径方向の対称位置に形成された対称カム面３１Ａの構成であり、この対称のカム面３１Ａは、ハンドル１２側から見て反時計回りに傾斜が徐々に強くなる（ハンドル１２側へ近づくように高くなる）形状である。これによって第１カム３１は、スプール軸１６を中心としてドラグレバー１４と共に揺動（回動）する。なお、第１カム３１は、支持部１４Ａの内側に支持部１４Ａと一体形成でもよい。
【００４１】
第２カム３２は、第１カム３１に対向配置したリール本体側カムであり、第１カム３１のカム面３１Ａと相互摺動するカム部３２Ａを備えている。膨出部１１Ｅ１Ｂの二段目の外周は、図示の六角形のような多角形部１１Ｅ１Ｂ６を備え、第２カム３２は、図７に示すように、この多角形部１１Ｅ１Ｂ６に嵌合する内周面３２Ｂ１とドラグレバー１４の支持部１４Ａの先端部分の円形状の内周面に沿う円形状の外周面とを形成した環状のカム体３２Ｂと、カム体３２Ｂのスプール軸１６を中心とした半径方向の１８０度対称位置で外方へ突出するように取付けた棒状の突起カム形態のカム部３２Ａとで構成されている。
【００４２】
カム機構３０として、第１カム３１と第２カム３２のいずれか一方が傾斜カム形態であり、他方が突起カム形態である技術は、例えば、特開平１１−１５５４４２号公報で公知であるため、この基本的な技術のみは新規技術ではないが、安定動作を達成するための構成については、本発明によって新規に得られたものである。
【００４３】
これによって、第２カム３２は、膨出部１１Ｅ１Ｂの多角形部１１Ｅ１Ｂ６に回転不能状態で且つスプール軸１６の軸方向へ移動可能状態であり、ドラグレバー１４は、スプール軸１６の軸方向へ移動不能状態であって第２カム３２に対して揺動（回動）自在である。
【００４４】
第１カム３１のカム面の具体的な構成を図６の（イ）〜（ハ）に示す。図６の（イ）は第１カム３１の側面図、図６の（ロ）は第１カム３１の平面図、図６の（ハ）は第１カム３１のカム面３１Ａの展開図である。これらの図において、スプール軸１６の軸線１６Ｓを中心とした半径方向の１８０度対称位置であるＰ及びＱの範囲に、同じ形状でカム面３１Ａが形成されている。Ａの範囲が平坦カム面であり、Ｂの範囲がきつい傾斜の第１傾斜カム面であり、Ｃの範囲が緩い傾斜の第２傾斜カム面であり、Ｄの範囲が更に緩い傾斜の第３傾斜カム面である。第２カム３２のカム部は、図７の（イ）（ロ）に示すように、第２カム３２の１８０度対称位置に設けた突起カム形態のカム部３２Ａが、Ｐ及びＱの範囲でカム面３１Ａと相互摺動する。
【００４５】
ドラグレバー１４を手動操作することによって、ドラグ機構１３の摩擦係合力（ドラグ力）の強弱を調整するが、その場合のドラグ力の強弱調整範囲の初期設定は、ドラグ調整装置５０によって行なわれる。ドラグ調整装置５０は、ドラグレバー１４を揺動自在（回動自在ともいう）に支持する膨出部１１Ｅ１Ｂの先端の多角形部１１ＥＢ６よりも、ハンドル１２側へ延出するスプール軸１６の先端部分に形成した雄ネジ１６Ａ（図３の右端部外周面に二つの平行線で描いた部分）と、この雄ネジ１６Ａに螺合する雌ネジ５１Ａを内側に形成した有底円筒状をなし、第２カム３２に相対回転可能に当接したドラグ調整部材５１を備えている。
【００４６】
ハンドル１２側から見て、ドラグ調整部材５１を時計回りに回動させることにより第２付勢部材２８が圧縮されつつ、ドラグ調整部材５１の前記雌ネジ５１Ａとスプール軸１６の前記雄ネジ１６Ａの螺合長さが長くなり、スプール軸１６がスプール１５を伴ってハンドル１２側（図３で右側）へ僅かに移動し、ドラグ力が僅かに強くなるドラグ力強設定状態となる。また、ハンドル１２側から見て、ドラグ調整部材５１を反時計回りに回動させることにより第２付勢部材２８の圧縮が弱まり、前記雌ネジ５１Ａと前記雄ネジ１６Ａの螺合長さが短くなり、スプール軸１６がスプール１５を伴ってハンドル１２側から離れる方向（図３で左側）へ僅かに移動し、ドラグ力が僅かに弱くなるドラグ力弱設定状態となる。このようにドラグ調整装置５０によって、ドラグ力の強弱調整範囲の初期設定がなされる。
【００４７】
ドラグ調整装置５０にて一つの調整範囲に設定した場合、図３のスプール軸１６の軸線１６Ｓより上半分は、第１摩擦板１３Ａと第２摩擦板１３Ｂの当接力が強い状態、即ちドラグ機構１３による強ドラグ状態を示すものであり、図３のスプール軸１６の軸線１６Ｓより下半分が、第１摩擦板１３Ａと第２摩擦板１３Ｂが離間した状態、即ちドラグ機構１３によるドラグ力がゼロのドラグフリー状態を示すものである。
【００４８】
第１摩擦板１３Ａと第２摩擦板１３Ｂとの当接力の強弱が調整されることにより、ドラグ力が調整されるため、この動作を安定させるために、第１摩擦板１３Ａは耐熱性と耐磨耗性を備えたコルク、合成樹脂等で構成された僅かに弾性を備えたドーナツ状ディスクである。また、第２摩擦板１３Ｂはステンレス等の金属製の円盤状である。
【００４９】
ドラグレバー１４の揺動によってドラグ力を調整する場合について説明する。ドラグレバー１４をドラグフリーの状態とするためには、ドラグレバー１４を図２のＲ方向（手前側、反時計回り）いっぱいまで（スタート位置まで）揺動（回動）する。これによって、第２カム３２の１８０度対称位置に設けたそれぞれのカム部３２Ａが、第１カム３１のカム面３１Ａの１８０度対称位置に設けたそれぞれのＡの範囲（ドラグレバー１４の揺動（回動）角度が１０度の範囲）に位置し、第２付勢部材２８の付勢によってスプール軸１６がスプール１５を伴って図３の左方向へ移動させるため、それによって第１摩擦板１３Ａが図３の左方向へ移動し、第１摩擦板１３Ａが第２摩擦板１３Ｂから離れた状態となる。これは、釣糸６２を竿先方向へ引っ張る作用に対してドラグ力は掛からないゼロの状態である。即ち、スプール１５の釣り糸繰り出し方向回転に対して、ドラグ機構１３によるドラグ力が掛からない状態（ドラグフリー状態）となり、スプール１５が自由回転状態となるため、キャスティングを行なえる状態となる。
【００５０】
このＡの状態からドラグレバー１４を図２のＦ方向（前方、時計回り）へ揺動（回動）することにより生じる相対運動によって、第２カム３２の１８０度対称位置に設けたそれぞれのカム部３２Ａが、第１カム３１のカム面３１ＡのＡの範囲からカム面３１ＡのＢの範囲へ移行し、１８０度対称位置に設けたそれぞれのＢの範囲（ドラグレバー１４の揺動（回動）角度が２０度の範囲）のカム面を第２カム３２のカム部３２Ａが登ることにより、第２カム３２が図３の右方向へ移動し、それに伴ってドラグ調整部材５１が図３の右方向へ移動するため、ドラグ調整部材５１によってスプール軸１６が第２付勢部材２８の付勢に抗してハンドル１２側（図３で右側）へ引き寄せられて移動し、それに伴ってスプール１５も第１付勢部材２７を介して同じ方向へ移動する。このため、それぞれのカム部３２Ａがカム面３１ＡのＢの範囲の略中間位置から第１摩擦板１３Ａが第２摩擦板１３Ｂに当接し、ドラグ力が掛かり始める状態となり、且つ、ハンドル１２の回転によってスプール１５が釣り糸６２を巻き取り方向へ回転可能となる。
【００５１】
この当接が始まった状態から更にドラグレバー１４を図２のＦ方向（前方、時計回り）へ揺動（回動）することにより、第２カム３２の１８０度対称位置に設けたそれぞれのカム部３２Ａが第１カム３１のカム面３１ＡのＣの範囲へ移行し、１８０度対称位置に設けたそれぞれのＣの範囲（ドラグレバー１４の揺動（回動）角度が７０度の範囲）のカム面を第２カム３２のカム部３２Ａが登ることにより、第２カム３２が図３の右方向へ移動し、それに伴ってドラグ調整部材５１が図３の右方向へ移動するため、上記同様にドラグ調整部材５１によってスプール軸１６及びスプール１５がハンドル１２側（図３で右側）へ引き寄せられて移動し、第１摩擦板１３Ａが第２摩擦板１３Ｂに当接する当接力が徐々に強くなる。即ち、ドラグ力が徐々に強くなる。
【００５２】
Ｂの範囲のカム面の傾斜をＣの範囲のカム面の傾斜よりも強くしているのは、Ａの範囲のドラグフリーの状態から速やかにドラグ作用開始状態へ移行できるようにするためであり、Ｂの範囲のカム面の傾斜の中間位置からドラグ作用が開始し、それ以降はＣの範囲のカム面の傾斜に沿ってドラグ力が徐々に強くなるようにしている。
【００５３】
Ｃの範囲を越えてドラグレバー１４を図２のＦ方向（前方、時計回り）へ揺動（回動）することにより、第２カム３２のカム部３２Ａが第１カム３１のカム面３１ＡのＣの範囲からＤの範囲へ移行し、Ｄの範囲（ドラグレバー１４の揺動（回動）角度が３０度の範囲）のカム面を第２カム３２のカム部３２Ａが登ることにより、第２カム３２が図７の右方向へ移動し、それに伴ってドラグ調整部材５１が図３の右方向へ移動するため、上記同様にドラグ調整部材５１によってスプール軸１６及びスプール１５がハンドル１２側（図３で右側）へ引き寄せられて移動し、第１摩擦板１３Ａが第２摩擦板１３Ｂに当接する当接力が更に強くなる。Ｄの範囲の最終部がドラグレバー１４の揺動（回動）動作の終点であり、このときドラグ力が最大となる。
【００５４】
また、ドラグレバー１４を図２のＲ方向（手前側、反時計回り）へ揺動（回動）することによって、第２カム３２のカム部３２Ａが第１カム３１のＤの範囲、Ｃの範囲、Ｂの範囲を順次経ることに伴って、第１摩擦板１３Ａが図３の左方向へ移動してドラグ力が徐々に弱まる。
【００５５】
上記のように、ドラグレバー１４のＦ方向（前方、時計回り）、Ｒ方向（手前側、反時計回り）への揺動（回動）動作によって、ドラグ力の強弱を調整できるため、実釣中のハンドル１２の操作並びにドラグレバー１４の操作を適宜行なうことにより、実釣効果を得ることができる。
【００５６】
そして、第２カム３２の１８０度対称位置に設けたそれぞれのカム部３２Ａが、第１カム３１の１８０度対称位置に設けたそれぞれのＡの範囲に位置したとき、上記のように、第１摩擦板１３Ａが図３の左方向へ移動して、第１摩擦板１３Ａが第２摩擦板１３Ｂから離れた状態となるため、釣糸６２を竿先方向へ引っ張る作用に対してドラグ力は掛からないゼロの状態である。
【００５７】
上記の記載から明らかなように、第２カム３２のカム部３２Ａが第１カム３１のＡの範囲に位置した状態では、スプール１５は、ドラグ機構１３との連繋やハンドル取り付け部１２Ｔを含むハンドル１２側との連繋も外れた状態であるため、スプール１５の釣り糸繰り出し方向回転に対して殆んど抵抗がない状態となる。この状態で、キャスティングを行なう、即ち、ジグと称される錘式のルアーを使用した釣り糸６２を釣り竿６０から略真下へ向けて、例えば海中５０ｍ乃至それ以上の深さまで垂らした後、ドラグレバー１４を図２のＦ方向（前方、時計回り）へ揺動（回動）することにより、上記のように、ドラグ機構１３が作動してドラグが掛かる。このため、ドラグレバー１４のＦ方向（前方、時計回り）及びＲ方向（手前側、反時計回り）への揺動（回動）動作と、ハンドル１２の回転操作とを適宜行うことによって、釣り糸６２を所望の状態に繰り出した状態にて実釣動作を行なうことができる。
【００５８】
ドラグレバー１４を安定して回動させるために、ドラグレバー１４の一部である操作部１４Ｄから突出する突起部１４Ｄ１が、第２側板１１Ｂの円弧状上面に形成した円弧上溝７０に嵌り合って、ドラグレバー１４の回動と共に前後に回動可能である。そして、ドラグレバー１４の回動を段階的に行うための発音装置６５をこの部分に設けている。
【００５９】
レバードラグ式リール１は、図１及び図２に示すように、その下側部に設けた金属製の取付け脚２を釣竿６０の上側部に形成した取付け部に装着して取り付けられ、その取り付け状態において、レバードラグ式リール１の左側面に沿わせた操作者の左手ＬＨの中指や薬指などによって釣竿６０を下方から支えると共に、その左手ＬＨによってレバードラグ式リール１を握持し、左手ＬＨの親指ＬＨ１によってドラグレバー１４を操作可能とし、操作者の右手でハンドル１２を操作可能とする構成である。また、左手ＬＨの親指ＬＨ１は、ドラグレバー１４から離した状態で、釣り糸６２がスプール１５へ略均等状態に巻き取られるように釣り糸６２を案内するように操作することができる。
【００６０】
両軸受けリールを釣り竿に取り付けた状態で魚釣りを行う場合、釣り竿を振って仕掛けを投げる方法では、仕掛けを投げることによってドラグフリー状態のスプールが高速回転して釣り糸が繰り出されるが、空気抵抗や風の影響等によって仕掛けが飛ぶスピードが低下したとき、スプールの回転がそれに伴って低下せずオーバーラン状態（空回り状態）となり、釣り糸が連続して繰り出されることにより、余分に繰り出された釣り糸がスプールの前方部分に絡まり、鳥の巣のように纏わりつく状態となることがある。
また、仕掛けを投げずに仕掛けの錘を利用して釣り竿から仕掛けを真下に落として釣る方法では、潮の流れの影響によって釣り糸がドラグフリー状態のスプールから繰り出されるスピードが変化する。速いスピードで繰り出されていた状態から遅いスピードになったとき、スプールの回転がそれに伴って低下せずオーバーラン状態（空回り状態）となり、釣り糸が連続して繰り出されることにより、余分に繰り出された釣り糸がスプールの前方部分に絡まり、鳥の巣のように纏わりつく状態となることがある。
【００６１】
本発明は、このように、釣り開始時ドラグフリー状態のスプールから釣り糸が繰りだされるとき、釣り糸の弛み抑制の細かな操作を行うことができるブレーキ装置として、ドラグ機構１３を利用するブレーキ装置１００を提供する。
以下に、ブレーキ装置１００の構成を記載する。
【００６２】
上記のように、レバードラグ式リール１は、リール本体１１に支持されたスプール軸１６と、スプール軸１６に回転可能に支持され釣り糸を巻き取るスプール１５と、更に、スプール１５と共に回転する第１摩擦板１３Ａと、第１摩擦板１３Ａに対峙する第２摩擦板１３Ｂと、第２摩擦板１３Ｂから第１摩擦板１３Ａが離間状態となるドラグフリー状態に付勢する付勢部材２８とを有し、第１摩擦板１３Ａと第２摩擦板１３Ｂの摩擦係合によってスプール１５の回転に摩擦係合力（ドラグ力）を付与するドラグ機構１３を備えている。
【００６３】
ブレーキ装置１００は、図３乃至図５に示すように、ハンドル１２を操作する手（実施例では右手）とは逆の手（実施例では左手）で操作されるように、リール本体１１の側方からスプール軸１６を押圧操作可能とする押圧部材１０１を有する。付勢部材２８の付勢力に抗して押圧部材１０１をスプール軸１６の軸線１６Ｓに沿って、軸方向（ハンドル１２側の方向）へ押圧することによって、第１摩擦板１３Ａが第２摩擦板１３Ｂに当接する構成である。
【００６４】
押圧部材１０１はスプール軸１６と結合部１０２で結合されて一体化される。結合部１０２の構成は種々ある中で、簡単な構成として、スプール軸１６の中心軸の延長上において、スプール軸１６の端部からリール本体１１の左側面へ向けて突出した軸外面に形成した雄ねじ軸部１０３と、押圧部材１０１の裏側からスプール軸１６の中心軸方向へ突出した軸孔に形成した雌ねじ軸部１０４とがネジ結合される。このネジ結合によって、雌ねじ軸部１０４の先端が雄ねじ軸部１０３の根本部分でスプール軸１６の端部に当接し、押圧部材１０１がスプール軸１６と正規の結合となる仕組みである。なお、この構成とは逆の構成として、スプール軸１６の端部に開口するようにスプール軸１６の中心軸方向へ向かう軸孔に形成した雌ねじ軸部と、押圧部材１０１の裏側からスプール軸１６の方向へ突出した軸外面に形成した雄ねじ軸部とがネジ結合される仕組みであってもよい。
【００６５】
押圧部材１０１の押圧は、ハンドル１２を操作する手とは逆の手で操作される。通常、右手でハンドル１２を操作する場合、左手によって押圧部材１０１が押圧操作される。この押圧操作は前記逆の手の腹や指や指の付け根部分等で行うことに適する。この押圧部材１０１の押圧によって、ブレーキ装置１００によりスプール１５の釣り糸繰り出し方向回転に適宜のブレーキが掛かるように調節操作が可能となるようにするために、押圧部材１０１は、結合部１０２よりも大径の円形状の押圧頭部１０５を有する。リール本体１１の左側面に開口するように、第１側板カバー１１Ｄには、結合部１０２が貫通し押圧頭部１０５が収容される円形状の凹部１０６を有する。
【００６６】
押圧部材１０１とスプール軸１６が結合部１０２で結合された正規の状態において、押圧部材１０１の軸部１０４の先端がスプール軸１６の端部に当接した状態である。この状態において、押圧部材１０１の押圧操作前は、図４に示すように、付勢部材２８の付勢力にて押圧頭部１０５の裏面が凹部１０６の底部から所定間隔Ｚで離間した状態を保持し、この所定間隔Ｚは、スプール軸１６の軸方向移動距離を確保する間隔、即ち、スプール軸１６の軸線１６Ｓ方向への移動距離を制御するカム機構３０により設定されるスプール軸１６の軸方向の移動距離を確保する間隔であり、押圧部材１０１の押圧操作によって、第１摩擦板１３Ａが移動して第２摩擦板１３Ｂに当接する距離を確保することができる。
【００６７】
押圧頭部１０５と凹部１０６とは円形状の外周面をなし、押圧頭部１０５の直径よりも凹部１０６の直径が僅かに大きい。図８では説明上、押圧部材１０１の押圧頭部１０５と凹部１０６との間に隙間を形成しているが、好ましくは、押圧頭部１０５と凹部１０６との外周面間の隙間は、この隙間に釣り糸が侵入しない程度が好ましい。
押圧頭部１０５の外面１０７は、リール本体１１の左側面よりも若干突出状態であり、リール本体１１の左側面を覆うように掴んだ左手の腹または指にて押圧頭部１０５の外面を押し易く、且つ左手の腹または指が接触した時の違和感を少なくするように、押圧頭部１０５の外面１０７は、外方に向けて曲面で突出し、押圧部材１０１を深く押し込んだ状態でも、凹部１０６の外周端部よりも押圧頭部１０５の外周面１０８が若干外方に位置する。これは、押圧頭部１０５を押したとき、左手の腹または指が凹部１０６内に入り込んで、凹部１０６の外周端部で怪我しないためである。
【００６８】
この構成によって、ドラグ調整装置５０にて一つの調整範囲に設定した場合、押圧部材１０１を押圧する前の状態では、図３の下半分及び図４に示すように、第２付勢部材２８のバネ力により、第２摩擦板１３Ｂから第１摩擦板１３Ａが離間するように、スプール１５がスプール軸１６の内方（図３で左方）に付勢された状態であり、スプール１５は釣り糸６２の繰り出し方向回転が自由となるドラグフリー状態である。
【００６９】
このドラグフリー状態において、釣りを開始するときのキャスティングによって、スプール１５が釣り糸６２の繰り出し方向に回転する。このとき、図３の上半分及び図５に示すように、付勢部材２８の付勢力に抗して押圧部材１０１を軸方向（スプール軸１６の軸線１６Ｓに沿ってハンドル１２側）へ押圧することにより、第１摩擦板１３Ａが第２摩擦板１３Ｂに当接する。このため、押圧部材１０１をスプール軸１６の軸線１６Ｓに沿って軸方向へ押圧する押圧力を調整することによって、第１摩擦板１３Ａが第２摩擦板１３Ｂに当接する度合いを調整でき、上記のように空気抵抗や風の影響や潮の流れ等によって、釣り糸の繰り出し状態が変化したとき、その変化に対応してスプール１５の釣り糸繰り出し方向回転にブレーキを掛ける微調整操作ができる。
これによって、スプール１５がオーバーラン状態（空回り状態）となることを抑制し、釣り糸が弛んで絡まることを抑制することができる。
【００７０】
押圧部材１０１の他の実施形態として、図９に示すように、押圧部材１０１の押圧頭部１０５は、円形状主体部１０５Ａと、円形状主体部１０５Ａから斜め前上方へ延びる補助部１０５Ｂとを有する。これに合わせて凹部１０６も、円形状主体凹部１０６Ａと、円形状主体凹部１０６Ａから斜め前上方へ延び補助部１０５Ｂを収容する補助凹部１０Ｂとを有する。
この構成においても、上記同様に、押圧頭部１０５の外面１０７は、外方に向けて曲面で突出し、押圧部材１０１を深く押し込んだ状態でも、凹部１０６の外周端部よりも押圧頭部１０５の外周面１０８が若干外方に位置し、押圧頭部１０５を押したとき、左手の腹または指が凹部１０６内に入り込んで、凹部１０６の外周端部で怪我しない形態である。
図９では説明上、押圧部材１０１の押圧頭部１０５と凹部１０６との間に隙間を形成しているが、上記のように、好ましくは、押圧頭部１０５と凹部１０６との外周面間の隙間は、この隙間に釣り糸が侵入しない程度が好ましい。
【００７１】
上記構成では、押圧部材１０１はスプール軸１６と結合部１０２で結合されているが、これに替わる構成として、押圧部材１０１はスプール軸１６と結合部１０２で結合されず、押圧部材１０１の雌ねじ軸部１０４  に相当する軸部を設け、この軸部がスプール軸１６の端部に対応する状態で押圧部材１０１がスプール軸１６方向へ移動可能に、且つ脱落しないように第１側板カバー１１Ｄに支持される構成とする。
これによって、ドラグフリー状態では、第２付勢部材２８のバネ力により、第２摩擦板１３Ｂから第１摩擦板１３Ａが離間するように、スプール１５がスプール軸１６の内方（図３で左方）に付勢された状態でもって、押圧部材１０１がスプール軸１６にて外方（図３で左方）に付勢される。そして、付勢部材２８の付勢力に抗して押圧部材１０１を軸方向（スプール軸１６の軸線１６Ｓに沿ってハンドル１２側）へ押圧することにより、第１摩擦板１３Ａが第２摩擦板１３Ｂに当接する。
【００７２】
また、レバードラグ式リール１の右側に配置されるドラグ調整部材５１の回動位置を操作者に音で認識させるためと、ドラグ調整部材５１の回動を段階的に行えるようにするために、図３に拡大図にて示すように、発音装置９５を設けている。発音装置９５は、ドラグ調整部材５１に対向するカム体３２Ｂの外側面に、球面状の窪み９６が円形状に等間隔で形成され、ドラグ調整部材５１からこの窪み９６へ向けて、先端球面状部が突出するようにバネ９８で付勢された進出体９７によって構成されている。
【００７３】
実釣中に釣針が岩等の異物に引っ掛かったときなどの異常時に、釣り竿６０の強い引き上げ操作によってその引っ掛かりを外す、または釣り糸６２を切る操作を行なうために、釣り糸６２の繰り出し方向へのスプール１５の回転を停止させるストップ装置８５が、図３に示すように、レバードラグ式リール１の左側の第１側板１１Ａ内に収容されている。
【００７４】
ストップ装置８５は、スプール１５の左側面に取り付けたラチェット車（つめ車）８６の歯に対して係止と離脱を行なうロック部材８７と、ロック部材８７を操作するロック操作部８８を備えており、通常時はロック部材８７がラチェット車（つめ車）８６の歯に係止状態ではなく、ロック操作部８８が第１側板１１Ａの下部に露出するようにバネ付勢されている。そして、上記異常時には、ロック部材８７がラチェット車８６の歯に係止してスプール１５の回転を停止させるように、ロック操作部８８を回動操作する。
【符号の説明】
【００７５】
１・・・・・・・両軸受けリール（レバードラグ式リール）
２・・・・・・・取付け脚
１１・・・・・・リール本体
１１Ａ・・・・・第１側板
１１Ｂ・・・・・第２側板
１１Ｃ・・・・・連結部
１１Ｄ・・・・・第１側板カバー
１１Ｄ２・・・・軸支持部
１１Ｄ３・・・・軸支持部
１１Ｅ・・・・・第２側板カバー
１１Ｅ１・・・・第２側板内カバー
１１Ｅ１Ｂ・・・膨出部
１１Ｅ２・・・・第２側板外カバー
１２・・・・・・ハンドル
１２Ａ・・・・・ハンドル軸
１２Ｂ・・・・・ハンドルアーム
１２Ｃ・・・・・ハンドルノブ軸
１２Ｄ・・・・・ハンドルノブ（握り部）
１２Ｄ１・・・・筒部
１２Ｅ・・・・・ハンドルノブ支持軸部
１２Ｈ・・・・・指移動阻止部
１２Ｋ・・・・・指受け部
１２Ｊ・・・・・傾斜面
１３・・・・・・ドラグ機構
１３Ａ・・・・・第１摩擦板
１３Ｂ・・・・・第２摩擦板
１４・・・・・・ドラグレバー
１５・・・・・・スプール
１６・・・・・・スプール軸
１７Ａ、１７Ｂ・・・・軸受け
２０Ａ、２０Ｂ・・・・軸受け
２２・・・・・・・メインギア
２３・・・・・・・ピニオンギア
２４、２５・・・・軸受け
２７・・・・・・第１付勢部材
２８・・・・・・第２付勢部材
３０・・・・・・カム機構
３１・・・・・・第１カム
３１Ａ・・・・・カム面
３２・・・・・・第２カム
３２Ａ・・・・・カム部
３２Ｂ・・・・・カム体
５０・・・・・・ドラグ調整装置
５１・・・・・・ドラグ調整部材
６０・・・・・・釣り竿
６２・・・・・・釣り糸
７０・・・・・・円弧状溝部
７５・・・・・・ブレーキ装置
８０・・・・・・当接軽減部
８５・・・・・・ストップ装置
９５・・・・・・発音装置
１００・・・・・ブレーキ装置
１０１・・・・・押圧部材
１０２・・・・・結合部
１０３・・・・・雄ネジ軸部
１０４・・・・・雌ネジ軸部
１０５・・・・・押圧頭部
１０６・・・・・凹部
１０７・・・・・押圧頭部の外面
１０８・・・・・押圧頭部の外周面  ＬＨ・・・・・左手
ＬＨ１・・・・左手の親指
【図１】
2018113900.tif 000003
【図２】
2018113900.tif 000004
【図３】
2018113900.tif 000005
【図４】
2018113900.tif 000006
【図５】
2018113900.tif 000007
【図６】
2018113900.tif 000008
【図７】
2018113900.tif 000009
【図８】
2018113900.tif 000010
【図９】
2018113900.tif 000011